(57)【要約】
【課題】介護者が被介護者の状態を容易かつ正確に記録でき、かつ介護保険の請求項目に記載すべき事項を容易に確認できるようにした介護記録ノートを提供する。
【解決手段】介護者が被介護者の１日分のようすを示す情報を記入する状態表示欄３０を設けた１日分記入ページに、状態表示欄３０として、被介護者の健康状態に関する複数の事項を示す身体介護チェック欄３１と、生活援助に関する事項を示す生活援助チェック欄３２と、介護当日の被介護者のようすに関する事項を示す日のようすチェック欄３３と、後続の時間帯を担当する介護者への伝言や気がついたことに関する伝言や気がついたことチェック欄３４とを設け、各項目は介護保険の請求項目の少なくとも１つに対応させ、かつ各項目の先頭にチェックマーク記入ボックスを付したことを特徴とする介護記録ノートを提供する。
【選択図】図１
0003100486.tif 000002
【実用新案登録請求の範囲】
【請求項１】
　介護者が被介護者の状態を記録して他の介護者への連絡に供するための介護記録ノートであって、
　介護者が被介護者の１日分のようすを示す情報を記入する状態表示欄（３０）を設けた１日分記入ページを有し、
　前記状態表示欄（３０）は、被介護者の健康状態に関する複数の事項を示す身体介護チェック欄（３１）と、生活援助に関する事項を示す生活援助チェック欄（３２）と、介護当日の被介護者のようすに関する事項を示す今日のようすチェック欄（３３）と、後続の時間帯を担当する介護者への伝言や気がついたことに関する伝言や気がついたことチェック欄（３４）とを有し、
　前記各チェック欄の各項目は介護保険の請求項目の少なくとも１つに対応し、かつ各項目の先頭にチェックマーク記入ボックスが付されていることを特徴とする在宅介護記録ノート。
【請求項２】
　前記１日分記入ページの記載事項を、少なくとも１ヶ月分単位でまとめて記載するまとめシート（４０）を備えていることを特徴とする請求項１に記載の在宅介護記録ノート。
【請求項３】
　被介護者の不測の事態に備え、保険金が受け取れるように、保険契約されて提供される見舞金制度を備えていることを特徴とする請求項１または２に記載の在宅介護記録ノート。
【考案の詳細な説明】
【技術分野】
【０００１】
　本考案は、看護あるいは介護の必要な人、特に高齢者を含む身体あるいは精神障害者等を在宅で看護・介護を行う場合、医師・訪問看護婦・保健婦・ヘルパー・介護支援専門員などの看護・介護人相互間、あるいは家族の間の連携を密にするのに役立つ在宅介護記録ノートに関する。
【背景技術】
【０００２】
　高齢者や各種障害者等の介護を必要とする介護対象者（以下「被介護者」という）を複数の訪問看護婦などの看護人とヘルパーなどの介護人（以下「介護者」という）が特に在宅で介護を実施する場合、相互間、介護者相互間、あるいは介護者と家族とが、介護を異なる時間帯で分担して当たる場合が多い。このような形態で看護あるいは介護を行う場合には、前記看護人・介護人および家族間の連絡が必要となる。
【０００３】
　従来、このような連絡は、分担した時間帯が隣接しているか、重複しているときには連絡事項を直接口頭で、また重要な連絡事項があれば、それをメモに書いて次の時間帯を担当する介護者に渡すことで行われている。また、分担する時間帯が離れているときには、連絡事項を書いたメモやノートを被介護者宅の所定の場所に置いて、次に分担する人に知らせるという手段が採られることが多い。
【特許文献１】特許第３２４５５９３号公報
【考案の開示】
【考案が解決しようとする課題】
【０００４】
　一方、介護の内容、および被介護者の状態の把握のためには、多数の項目に亘って詳細な記録を行うことが必要であり、また各項目についてもその程度を判断して正確に記録しなければ、被介護者にとって必要かつ十分な介護を後任の介護者に引き継ぐことはできない。
【０００５】
　しかし、従来のような介護ノートやメモで、上記のような記録を詳細かつ正確に記載することはきわめて困難であり、特に介護の経験の浅い介護者にとって、この連絡事項の授受を正確に行うこと自体がかなりな負担となる。
　さらに介護保険の請求事務の観点から、どのような介護サービスを行ったかを、保険項目に準じて正確に記録しておくことが望まれるが、従来の介護ノートでは、このような要求に対応できない。
【０００６】
　本考案の目的は、このような事情に鑑みてなされたものであって、介護者が把握した被介護者の状態を正確に記載することができるとともに、それを受け取った他の介護者がその記載内容から被介護者の状態を正確に把握することが可能であるとともに、介護保険の請求に対応したサービス内容を容易に記録することができるようにした在宅介護録ノートを提供することである。
【課題を解決するための手段】
【０００７】
　前記目的を達成するために、請求項１に記載の考案は、介護者が被介護者の状態を記録して他の介護者への連絡に供するための介護記録ノートであって、介護者が被介護者の１日分のようすを示す情報を記入する状態表示欄（３０）を設けた１日分記入ページを有し、前記状態表示欄（３０）は、被介護者の健康状態に関する複数の事項を示す身体介護チェック欄（３１）と、生活援助に関する事項を示す生活援助チェック欄（３２）と、介護当日の被介護者のようすに関する事項を示す今日のようすチェック欄（３３）と、後続の時間帯を担当する介護者への伝言や気がついたことに関する伝言や気がついたことチェック欄（３４）とを有し、前記各チェック欄の各項目は介護保険の請求項目の少なくとも１つに対応し、かつ各項目の先頭にチェックマーク記入ボックスが付されていることを特徴とする。
【０００８】
　請求項２に記載の考案では、前記１日分記入ページの記載事項を、少なくとも１ヶ月分単位でまとめて記載するまとめシート（４０）を備えていることを特徴とする。
　請求項３に記載の考案では、被介護者の不測の事態に備え、保険金が受け取れるように、保険契約されて提供される見舞金制度を備えていることを特徴とする。
【考案の効果】
【０００９】
　本考案に係る在宅介護記録ノートは、高齢者あるいは障害者のような被介護者の状態を、適切な項目を選んでそれに対応するチェックボックスにチェックを入れるという簡単な作業で正確に表現することができるので、複数の看護人・介護人および家族間で連携して在宅介護を行う場合、以下のような効果を奏する。
　（１）複数の介護者間で互に直接面接し連絡していなくても、お互いに誰がどのような看護・介護を行っていたかを時刻目盛軸を使用して簡潔に記入し、次の分担者が在宅したとき直ちに前日からの介護状態全体を把握することができて、効果的な、しかも前分担者の必要あるいは心配する事項を考慮した正確な介護を行うことができる。
　（２）介護に必要な項目を予め各ページの各欄に設け、短時間に多くの記入すべき事項を忘れずに、しかも、短時間で簡潔に記入できる。
　（３）チェックボックスにチェックを入れることで示された介護作業の内容が、そのまま介護保険の申請のための項目として利用することができるので、介護保険の申請作業が容易になる。
　（４）見舞金制度が設けられ、在宅介護記録ノートで理解されるようになっていることにより、被介護者の不測の事態に備えられる。
【考案を実施するための最良の形態】
【００１０】
　介護者が被介護者の１日分のようすを示す情報を記入する状態表示欄を設けた１日分記入ページを有し、且つ、被介護者の健康状態に関する複数の事項を示す身体介護チェック欄と、生活援助に関する事項を示す生活援助チェック欄と、介護当日の被介護者のようすに関する事項を示す今日のようすチェック欄と、後続の時間帯を担当する介護者への伝言や気がついたことに関する伝言や気がついたことチェック欄とを有し、各チェック欄の各項目は介護保険の請求項目の少なくとも１つに対応し、かつ各項目の先頭にチェックマーク記入ボックスが付されている。
【実施例１】
【００１１】
　本考案の実施の形態に係る在宅介護記録ノートを図面を用いて説明する。図１は、在宅介護記録ノートの任意の１日分記入ページを示す。この１日分記入ページの表示内容は、介護者が被介護者の１日分のようすを記録するためのもので、本例では、担当ヘルパーまたは他の介護者の氏名を記入する担当者記入欄１０、サービス提供日（記入日）等の規定の項目を記載する日時欄２０、および介護者が次の担当介護者に伝達すべき被介護者の状態等を示す情報を記入する状態表示欄３０が設けられている。
【００１２】
　状態表示欄３０は１．身体介護チェック欄３１、２．生活援助チェック欄３２、３．今日のようすチェック欄３３、４．伝言や気がついたことチェック欄３４の４つのカテゴリーに分けられ、各カテゴリーは、下記のような項目からなっていて、そのサービス内容あるいは伝達事項が予め個別に記載されている。図１の記載はその一例であり、例えば下記のようなサービス内容が挙げられている。
【００１３】
　１．身体介護チェック欄３１では、□健康チェック、□特別に専門的配慮をもって行う調理、□体位変換、□部屋の掃除や身の回りの整頓、□清拭（全身）、□移乗、□相談の手伝いや連絡したいことの手助け、□手や足を洗う、□移動、□洗髪、□通院や外出の手助け、□トイレ利用、□全身を洗う、□起床の手助け、□ポータブルトイレの使用、□身だしなみを整える、□就寝の手助け、□おむつ交換、□服薬の手助け、□織女介助、□着替えの手助け、□自立生活支援の見守り的介助、□サービス提供後の記録等である。
【００１４】
　２．生活援助チェック欄３２では、□健康チェック、□被服の補修、□食事の用意や後かたづけ、□部屋の掃除や身の回りの整頓、□洗濯、□買い物や薬の受け取り、□相談の手伝いや連絡したいことの手助け、□ベッドメイク、□サービス提供後の記録等、□掃除、□衣類の整理である。
【００１５】
　３．今日のようすチェック欄３３では、一、日常動作について、１．歩行に関し、口いつもどおり、□あまり調子よくない、□いつもより悪い、２．寝返りに関し、口いつもどおり、□あまり調子よくない、□いつもより悪い、３．その他の傾向□（　　　　　　）である。以下、二、ことばについて、１．会話の状態に関し、口いつもどおり、□あまり調子よくない、□いつもより悪い、２．意思の疎通に関し、口いつもどおり、□あまり調子よくない、□いつもより悪い、である。三、見ることや聞くことについて、１．見ることについて、に関し、口いつもどおり、□あまり調子よくない、□いつもより悪い、であり、２．日常会話について、に関し、口いつもどおり、□あまり調子よくない、□いつもより悪い、であり、３．聞くことについて、に関し、口いつもどおり、□あまり調子よくない、□いつもより悪い、である。四、痴呆について、１．意識状態に関し、口いつもどおり、□あまり調子よくない、□いつもより悪い、であり、２．記憶力に関し、口いつもどおり、□あまり調子よくない、□いつもより悪い、３．暴力・暴言などの問題行動に関し、口いつもどおり、□あまり調子よくない、□いつもより悪い、であり、４．その他の行動に関し、□（　　　　　　）である。五、食事について、１．朝食に関し、口全部食べた、□大体食べた、□多く残した、□食べなかったであり、２．昼食に関し、口全部食べた、□大体食べた、□多く残した、□食べなかったであり、３．夕食に関し、口全部食べた、□大体食べた、□多く残した、□食べなかったである。六、排泄について、１．排泄に関し、口あり、□なし、□その他（　　　　　　）であり、２．トイレ移乗について、に関し、口うまくできた、□あまりうまくできなかった、□うまくできなかったであり、３．失禁について、に関し、口あり（便・尿）、□なしであり、４．下着の上げ下げに関し、口うまくできた、□あまりうまくできなかった、□うまくできなかったであり、５．その他に関し、□（　　　　　　）である。七、睡眠について、１．眠りの状況に関し、口深い、□普通、□浅い、口眠れなかったであり、２．寝つきに関し、口よい、□あまりよくない、□悪い、である。
【００１６】
　４．伝言や気がついたことチェック欄３４では、口心配ごとなど（心の状況について）、□病気について、□人間関係について、口外部との環境について、口その他である。
【００１７】
　ここで重要なことは、各項目の先頭に□のチェックマーク記入ボックスが付されているということである。介護者は、分担している時間帯において、被介護者の状態を観察した結果に基づいて、該当する項目にチェックマークを入れるだけで、正確な内容を記録することが可能であり、以後の時間帯を担当する介護者に誤りなく伝達することが可能である。
　さらに各チェック項目は、介護保険の請求に記載すべき項目に対応しているので、後日に行われる請求書式への転記が容易であり、また誤りが介入するおそれもない。
【００１８】
　図２は、本考案の他の実施の形態において、図１のチェックシートに追加される、１ヶ月間の状態をまとめて記載するために追加されるまとめシート４０を示している。
　このまとめシート４０は、この例では、状態の表示欄内に、下記の７つのカテゴリーについて、被介護者の状態を示す項目が設けられている。
【００１９】
　チェック１．日常動作については、一、歩行、二、移乗・移動、三、入浴の動作、四、寝返り、五、立ち上がり、六、起き上がり、七、座位保持、八、衣服の着脱である。チェック２．ことばに⊃いては、一、会話の状態、二、意志の疎通である。チェック３．見ることや聞くことに⊃いては、一、見ることに⊃いて、二、日常会話のようす、三、聞くことに⊃いてである。チェック４．痴呆に⊃いては、一、意識状態、二、記憶力、三、暴力・暴言・徘徊などの問題行動、四、理解力、五、その他の行動（　　　　　　）である。チェック５．食事や排泄に⊃いては、一、食事摂取、二、排泄に⊃いて、三、トイレ移乗、四、失禁に⊃いて、五、下着の上げ下げ、六、その他（　　　　　　）である。チェック６．睡眠に⊃いては、一、眠りの状況、二、寝つきである。さらに各カテゴリーのチェック項目には、口良くなった、□少し良くなった、□変わらない、□少し悪くな⊃た、□悪くなった、の評価が示され、該当箇所の先頭のチェックボックスにチェックマークを入れることで評価が表示されるようになっている。
【００２０】
　さらに図３は、図２に示した１ヶ月間の状態をまとめて記載するシートの内容に基づいて、適当期間、例えば６ヶ月間の被介護者の状態の推移を示すグラフ５０を作成するためのグラフ領域の一例を示している。例えば会話の状態の６ヶ月の推移を記載する場合を例にとると、被介護者の状態を示すランクを縦軸、１ヶ月を単位とする時間を横軸とし、この両者の交点に相当する部分にチェックボックスが配置されている。
【００２１】
　グラフの作成作業は、各月ごとに、１ヶ月間の状態をまとめて記載するシートに記入された被介護者の状態に対応するチェックボックスにチェックマークを入れ、あるいは塗りつぶし、このマークまたは塗りつぶしたチェックボックスの間を直線で結ぶことのより容易に行うことが可能である。このようなグラフ表示は、被介護者の助歌変化の傾向を視覚的に容易に把握するのに役立ち、被介護者に対する長期的な対応方針を決定するのに有効である。
【００２２】
　さらに、本考案の介護記録ノートでは、被介護者の不測の事態に備え、保険金が受け取れるように、保険契約されて提供される見舞金制度を備える。この保険契約は、介護ノートとは別途用意された契約書で契約が締結されるものであるが、契約書の記載用紙が添付されたものとすること、もしくは、契約内容の記載欄を設け、その内容が理解されるようにすること等適宜実施することができる。
　なお、本考案は、前記実施の形態に限定されるものでなく、種々の改変が可能であることは勿論である。例えば、印刷紙をホッチキスでとじた箇所に隣接した位置に予めパンチ穴を２個あけて、区役所や市役所から配布される介護情報を記載した公報などの印刷物をとじる情報欄を設けることもできる。
【図面の簡単な説明】
【００２３】
【図１】本考案の一実施の形態に係る介護記録ノートの表示内容部を示す図である。
【図２】本考案の一実施の形態に介護記録ノートにおいて、１ヶ月間の状態をまとめて記載するために追加されるシートを示す図である。
【図３】図２に示したシートの記載内容に基づいて作成されたグラフの一例を示す図である。
【符号の説明】
【００２４】
　１０　　担当者記入欄
　２０　　日時欄
　３０　　状態表示欄
　３１　　身体介護チェック欄
　３２　　生活援助チェック欄
　３３　　今日のようすチェック欄
　３４　　伝言や気がついたことチェック欄
　４０　　まとめシート
　５０　　グラフ
【図１】
0003100486.tif 000003
【図２】
0003100486.tif 000004
【図３】
0003100486.tif 000005